(57)【要約】      （修正有）【課題】少なくとも１つの無線装置内部の少なくとも１つの送信機と少なくとも１つの受信機との間の干渉を回避するための装置を提供する。【解決手段】１又は複数のビンが送信機からの干渉によって影響を受けるかどうかを所定の情報に基づいて判定するように構成される、第１の処理回路を備える。該装置は、もし該１又は複数のビンが影響を受けると判定される場合、該送信機と受信機の内の少なくとも１つによって該送信機からの該干渉を緩和するように構成される第２の処理回路を更に備える。【選択図】図３
2014161074.tif 000002
【特許請求の範囲】
【請求項１】
少なくとも１つの無線装置内部の少なくとも１つの送信機と少なくとも１つの受信機との間の干渉を回避する方法であって、
１又は複数のビンが送信機からの干渉によって影響を受けるかどうかを所定の情報に基づいて判定すること、及び
もし該１又は複数のビンが影響を受けると判定される場合、該送信機と受信機の内の少なくとも１つによって該送信機からの該干渉を回避すること
を具備する方法。
【請求項２】
該送信機と該受信機の内の少なくとも１つに該所定の情報を通信することを更に具備する、請求項１の方法。
【請求項３】
該所定の情報は、該送信機からの該干渉の大きさ及び該１又は複数のビンの何れが該送信機からの該干渉によって影響を受けるのか、を具備する、請求項１の方法。
【請求項４】
該所定の情報は、該送信機からの該干渉によって影響を受ける該１又は複数のビンを使用する１又は複数の受信機がアクティブにされているかどうか、を具備する、請求項１の方法。
【請求項５】
該回避することは、該送信機からの該干渉によって影響を受ける該１又は複数のビンを、該受信機によって、フィルタ処理することを具備する、請求項１の方法。
【請求項６】
該回避することは、該送信機からの該干渉によって影響を受ける該１又は複数のビンでの送信を、該送信機によって、弱めることを具備する、請求項１の方法。
【請求項７】
該回避することは該送信機の全送信電力を低減することを具備する、請求項１の方法。
【請求項８】
該送信機と該受信機は第１のモバイル装置中にある、請求項１の方法。
【請求項９】
該回避することを示す情報を少なくとも第２のモバイル装置に通信することを更に具備する、請求項８の方法。
【請求項１０】
該送信機と該受信機の内の少なくとも１つは超広帯域装置を具備する、請求項１の方法。
【請求項１１】
該送信機がアクティブであることを該受信機に示すことを更に具備する、請求項１の方法。
【請求項１２】
該１又は複数のビンは直交周波数分割多重（ＯＦＤＭ）ビンを具備する、請求項１の方法。
【請求項１３】
該回避することは固定された若しくは設定可能なノッチ・フィルタを使用して実行される、請求項１の方法。
【請求項１４】
少なくとも１つの無線装置内部の少なくとも１つの送信機と少なくとも１つの受信機との間の干渉を回避するための装置であって、
１又は複数のビンが送信機からの干渉によって影響を受けるかどうかを所定の情報に基づいて判定するように構成される第１の処理回路、及び
もし該１又は複数のビンが影響を受けると判定される場合、該送信機と受信機の内の少なくとも１つによって該送信機からの該干渉を緩和するように構成される第２の処理回路
を具備する装置。
【請求項１５】
該第１の処理回路は該送信機と該受信機の内の少なくとも１つに該所定の情報を通信するように更に構成される、請求項１４の装置。
【請求項１６】
該所定の情報は、該送信機からの該干渉の大きさ及び該１又は複数のビンの何れが該送信機からの該干渉によって影響を受けるのか、を具備する、請求項１４の装置。
【請求項１７】
該所定の情報は、該送信機からの該干渉によって影響を受ける該１又は複数のビンを使用する１又は複数の受信機がアクティブにされているかどうか、を具備する、請求項１４の装置。
【請求項１８】
該第２の処理回路は、該送信機からの該干渉によって影響を受ける該１又は複数のビンを、該受信機によって、フィルタ処理するように更に構成される、請求項１４の装置。
【請求項１９】
該第２の処理回路は、該送信機からの該干渉によって影響を受ける該１又は複数のビンでの送信を、該送信機によって、弱めるように更に構成される、請求項１４の装置。
【請求項２０】
該第２の処理回路は該送信機の全送信電力を低減するように更に構成される、請求項１４の装置。
【請求項２１】
該送信機と該受信機は第１のモバイル装置中にある、請求項１４の装置。
【請求項２２】
該回避することを示す情報を少なくとも第２のモバイル装置に通信するように構成される第３の処理回路を更に具備する、請求項２１の装置。
【請求項２３】
該送信機と該受信機の内の少なくとも１つは超広帯域装置を具備する、請求項１４の装置。
【請求項２４】
該送信機がアクティブであることを該受信機に示すように構成される第３の処理回路を更に具備する、請求項１４の装置。
【請求項２５】
該１又は複数のビンは直交周波数分割多重（ＯＦＤＭ）ビンを具備する、請求項１４の装置。
【請求項２６】
該第２の処理回路は固定された若しくは設定可能なノッチ・フィルタを具備する、請求項１４の装置。
【請求項２７】
少なくとも１つの無線装置内部の少なくとも１つの送信機と少なくとも１つの受信機との間の干渉を回避するための装置であって、
１又は複数のビンが送信機からの干渉によって影響を受けるかどうかを所定の情報に基づいて判定するための手段、及び
もし該１又は複数のビンが影響を受けると判定される場合、該送信機と該受信機の内の少なくとも１つによって該送信機からの該干渉を回避するための手段
を具備する装置。
【請求項２８】
判定するための該手段は該送信機と受信機の内の少なくとも１つに該所定の情報を通信するための手段を具備する、請求項２７の装置。
【請求項２９】
該所定の情報は、該送信機からの該干渉の大きさ及び該１又は複数のビンの何れが該送信機からの該干渉によって影響を受けるのか、を具備する、請求項２７の装置。
【請求項３０】
該所定の情報は、該送信機からの該干渉によって影響を受ける該１又は複数のビンを使用する１又は複数の受信機がアクティブにされているかどうか、を具備する、請求項２７の装置。
【請求項３１】
回避するための該手段は、該送信機からの該干渉によって影響を受ける該１又は複数のビンを、該受信機によって、フィルタ処理するための手段を具備する、請求項２７の装置。
【請求項３２】
回避するための該手段は、該送信機からの該干渉によって影響を受ける該１又は複数のビンでの送信を、該送信機によって、弱めるための手段を具備する、請求項２７の装置。
【請求項３３】
回避するための該手段は該送信機の全送信電力を低減するための手段を具備する、請求項２７の装置。
【請求項３４】
該送信機と該受信機は第１のモバイル装置中にある、請求項２７の装置。
【請求項３５】
該回避することを示す情報を少なくとも第２のモバイル装置に通信するための手段を更に具備する、請求項３４の装置。
【請求項３６】
該送信機と該受信機の内の少なくとも１つは超広帯域装置を具備する、請求項２７の装置。
【請求項３７】
該送信機がアクティブであることを該受信機に示すための手段を更に具備する、請求項２７の装置。
【請求項３８】
該１又は複数のビンは直交周波数分割多重（ＯＦＤＭ）ビンを具備する、請求項２７の装置。
【請求項３９】
回避するための該手段は固定された若しくは設定可能なノッチ・フィルタを使用して実行される、請求項２７の装置。
【請求項４０】
少なくとも１つの無線装置内部の少なくとも１つの送信機と少なくとも１つの受信機との間の干渉を回避する方法を実行するための命令を記憶する、コンピュータ可読媒体であって、該方法は
１又は複数のビンが送信機からの干渉によって影響を受けるかどうかを所定の情報に基づいて判定すること、及び
もし該１又は複数のビンが影響を受けると判定される場合、該送信機と受信機の内の少なくとも１つによって該送信機からの該干渉を回避すること
を具備する、コンピュータ可読媒体。
【請求項４１】
該方法は該送信機と受信機の内の少なくとも１つに該所定の情報を通信することを更に具備する、請求項４０のコンピュータ可読媒体。
【請求項４２】
該所定の情報は、該送信機からの該干渉の大きさ及び該１又は複数のビンの何れが該送信機からの該干渉によって影響を受けるのか、を具備する、請求項４０のコンピュータ可読媒体。
【請求項４３】
該所定の情報は、該送信機からの該干渉によって影響を受ける該１又は複数のビンを使用する１又は複数の受信機がアクティブにされているかどうか、を具備する、請求項４０のコンピュータ可読媒体。
【請求項４４】
該回避することは、該送信機からの該干渉によって影響を受ける該１又は複数のビンを、該受信機によって、フィルタ処理することを具備する、請求項４０のコンピュータ可読媒体。
【請求項４５】
該回避することは、該送信機からの該干渉によって影響を受ける該１又は複数のビンでの送信を、該送信機によって、弱めることを具備する、請求項４０のコンピュータ可読媒体。
【請求項４６】
該回避することは該送信機の全送信電力を低減することを具備する、請求項４０のコンピュータ可読媒体。
【請求項４７】
該送信機と該受信機は第１のモバイル装置中にある、請求項４０のコンピュータ可読媒体。
【請求項４８】
該方法は該回避することを示す情報を少なくとも第２のモバイル装置に通信することを更に具備する、請求項４７のコンピュータ可読媒体。
【請求項４９】
該送信機と該受信機の内の少なくとも１つは超広帯域装置を具備する、請求項４０のコンピュータ可読媒体。
【請求項５０】
該方法は該送信機がアクティブであることを該受信機に示すことを更に具備する、請求項４０のコンピュータ可読媒体。
【請求項５１】
該１又は複数のビンは直交周波数分割多重（ＯＦＤＭ）ビンを具備する、請求項４０のコンピュータ可読媒体。
【請求項５２】
該回避することは固定された若しくは設定可能なノッチ・フィルタを使用して実行される、請求項４０のコンピュータ可読媒体。
【請求項５３】
少なくとも１つの無線装置内部の少なくとも１つの送信機と少なくとも１つの受信機との間の干渉を回避する方法を実行するための命令を実行するように構成されるプロセッサであって、該方法は
１又は複数のビンが送信機からの干渉によって影響を受けるかどうかを所定の情報に基づいて判定すること、及び
もし該１又は複数のビンが影響を受けると判定される場合、該送信機と受信機の内の少なくとも１つによって該送信機からの該干渉を回避すること
を具備する、プロセッサ。
【請求項５４】
該方法は該送信機と受信機の内の少なくとも１つに該所定の情報を通信することを更に具備する、請求項５３のプロセッサ。
【請求項５５】
該所定の情報は、該送信機からの該干渉の大きさ及び該１又は複数のビンの何れが該送信機からの該干渉によって影響を受けるのか、を具備する、請求項５３のプロセッサ。
【請求項５６】
該所定の情報は、該送信機からの該干渉によって影響を受ける該１又は複数のビンを使用する１又は複数の受信機がアクティブにされているかどうか、を具備する、請求項５３のプロセッサ。
【請求項５７】
該回避することは、該送信機からの該干渉によって影響を受ける該１又は複数のビンを、該受信機によって、フィルタ処理することを具備する、請求項５３のプロセッサ。
【請求項５８】
該回避することは、該送信機からの該干渉によって影響を受ける該１又は複数のビンでの送信を、該送信機によって、弱めることを具備する、請求項５３のプロセッサ。
【請求項５９】
該回避することは該送信機の全送信電力を低減することを具備する、請求項５３のプロセッサ。
【請求項６０】
該送信機と該受信機は第１のモバイル装置中にある、請求項５３のプロセッサ。
【請求項６１】
該方法は該回避することを示す情報を少なくとも第２のモバイル装置に通信することを更に具備する、請求項６０のプロセッサ。
【請求項６２】
該送信機と該受信機の内の少なくとも１つは超広帯域装置を具備する、請求項５３のプロセッサ。
【請求項６３】
該方法は該送信機がアクティブであることを該受信機に示すことを更に具備する、請求項５３のプロセッサ。
【請求項６４】
該１又は複数のビンは直交周波数分割多重（ＯＦＤＭ）ビンを具備する、請求項５３のプロセッサ。
【請求項６５】
該回避することは固定された若しくは設定可能なノッチ・フィルタを使用して実行される、請求項５３のプロセッサ。
【発明の詳細な説明】
【関連出願の相互参照】
【０００１】
本特許出願は、２００８年１０月１６日に提出された米国特許仮出願番号第６１／１０６，０６０号に優先権を主張する。該仮出願の全体は参照により本出願に組み込まれている。
【技術分野】
【０００２】
本開示は一般に無線システムに係り、更に具体的には共存する無線システム間の干渉回避に関する。
【背景技術】
【０００３】
無線機器は情報を送信したり受信するために複数の通信チャネル（例えば、ＷｉＭＡＸ及び／又は３Ｇ／４Ｇ）を使用することが出来る。このような無線機器では、比較的大きな帯域幅、及び、複数のチャネル上で通信するための１または分離したモデム内で同時にアクティブにされる送信機と受信機の隣接、に起因して干渉問題が発生する可能性がある。
【０００４】
干渉は、受信機側の帯域における送信機のスプリアス放射、送信機に割当られた帯域内で送信された信号による受信機の感度劣化（desensitization）、及び、別のシステムの受信機に影響を及ぼしている１つのシステムの受信機及び／又は送信機からのスプリアス信号のような、負の効果を引き起こす。
【発明の概要】
【０００５】
本発明のシステム、方法、及び装置はそれぞれ数個の態様を有し、該諸態様のうちの単一の１つがその望ましい属性に対して単独で責任を有するわけではない。後述の請求項によって表わされる本発明の範囲を制限することなく、ある複数の特質がここに簡潔に議論される。この議論を考慮の後、とりわけ“発明を実施するための形態”と題される章を読んだ後、人は本発明の諸特質がどのように共存する無線システム間の干渉を回避することを含む諸利益を提供するかを理解するであろう。
【０００６】
本開示の１つの態様は少なくとも１つの無線装置内部の少なくとも１つの送信機と少なくとも１つの受信機との間の干渉を回避する方法であって、１又は複数のビンが送信機からの干渉によって影響を受けるかどうかを所定の情報に基づいて判定すること、及び、もし該１又は複数のビンが影響を受けると判定されるならば、該送信機と受信機の内の少なくとも１つによって該送信機からの該干渉を回避すること、を具備する方法を対象とする。
【０００７】
この開示の別の態様は少なくとも１つの無線装置内部の少なくとも１つの送信機と少なくとも１つの受信機との間の干渉を回避するための装置であって、１又は複数のビンが送信機からの干渉によって影響を受けるかどうかを所定の情報に基づいて判定するように構成された第１の処理回路、及び、もし該１又は複数のビンが影響を受けると判定されるならば、該送信機と受信機の内の少なくとも１つによって該送信機からの該干渉を緩和するように構成された第２の処理回路、を具備する装置を対象とする。
【０００８】
この開示のまた別の態様は少なくとも１つの無線装置内部の少なくとも１つの送信機と少なくとも１つの受信機との間の干渉を回避するための装置であって、１又は複数のビンが送信機からの干渉によって影響を受けるかどうかを所定の情報に基づいて判定するための手段、及び、もし該１又は複数のビンが影響を受けると判定されるならば、該送信機と該受信機の内の少なくとも１つによって該送信機からの該干渉を回避するための手段、を具備する装置を対象とする。
【０００９】
この開示の更なる態様は少なくとも１つの無線装置内部の少なくとも１つの送信機と少なくとも１つの受信機との間の干渉を回避する方法を実施するための諸命令を記憶するコンピュータ可読媒体を対象とし、該方法は、１又は複数のビンが送信機からの干渉によって影響を受けるかどうかを所定の情報に基づいて判定すること、及び、もし該１又は複数のビンが影響を受けると判定されるならば、該送信機と受信機の内の少なくとも１つによって該送信機からの該干渉を回避すること、を具備する。
【００１０】
この開示の更に別の態様は少なくとも１つの無線装置内部の少なくとも１つの送信機と少なくとも１つの受信機との間の干渉を回避する方法を実施するための諸命令を実行するように構成されるプロセッサを対象とし、該方法は、１又は複数のビンが送信機からの干渉によって影響を受けるかどうかを所定の情報に基づいて判定すること、及び、もし該１又は複数のビンが影響を受けると判定されるならば、該送信機と受信機の内の少なくとも１つによって該送信機からの該干渉を回避すること、を具備する。
【００１１】
ある諸態様によれば、干渉を回避することは、送信機がアクティブにされている間に受信機に影響する、例えば、１又は複数の直交周波数分割多重（Orthogonal Frequency Division Multiplexing）（ＯＦＤＭ）ビンを、該送信機によって、フィルタ処理することによって実行されることが出来る。ある諸態様によれば、干渉を回避することは、１又は複数の受信機に影響する１又は複数のＯＦＤＭビンでの伝送を、該送信機によって、弱めることによって実行されることが出来る。ある諸態様によれば、干渉を回避することは、該送信機の全送信電力を低減することによって、実行されることが出来る。無論、これ等の技術は個別に、部分的に、又は種々の組合せにおいて使用されることが出来る。更に、当業者は、本明細書記載の諸技術は非ＯＦＤＭモデムに対して実装されることが可能で、該非ＯＦＤＭモデムでは同様な結果を達成するために送信機において（固定された又は設定可能な）１又は複数のノッチを利用することが出来る、ということを理解するであろう。一実例として、複数のモデムの内の１又は複数が非ＯＦＤＭモデムである、複数のモデムがあり得る。この場合、本明細書記載の種々の技術を使用して、送信機における（固定された又は設定可能な）帯域除去フィルタ又はノッチ・フィルタが送信機によって引き起こされる干渉を回避するために使用されることが出来る、ということを当業者は理解するであろう。
【００１２】
ある諸態様によれば、干渉を回避することは、送信機がアクティブにされている間に送信機からの干渉によって影響を受ける、１又は複数のＯＦＤＭビンを、受信機によって、フィルタ処理することによって実行されることが出来る。ある諸態様によれば、干渉を回避することは、送信機からの干渉によって影響を受ける１又は複数のＯＦＤＭビンにおける諸信号を、受信機によって、弱めることによって実行されることが出来る。無論、この技術および上記段落［００１１］で説明された諸技術は個別に、部分的に、又は種々の組合せにおいて使用されることが出来る。更に、当業者は、本明細書記載の諸技術は非ＯＦＤＭモデムに対して実装されることが可能で、該非ＯＦＤＭモデムでは同様な結果を達成するために受信機において（固定された又は設定可能な）１又は複数のノッチを利用することが出来る、ということを明確に理解するであろう。一実例として、複数のモデムの内の１又は複数が非ＯＦＤＭモデムである、複数のモデムがあり得る。この場合、本明細書記載の種々の技術を使用して、受信機における（固定された又は設定可能な）帯域除去フィルタ又はノッチ・フィルタが送信機によって引き起こされる干渉を回避するために使用されることが出来る、ということを当業者は理解するであろう。
【００１３】
前記の一般的な説明と後記の詳細な説明は共に例示であって、特許請求される主題の更なる説明を提供することが意図される、ということが理解されるべきである。
【図面の簡単な説明】
【００１４】
【図１】図１は例示的な無線通信ネットワークを図示する。
【図２】図２は図１に示される例示的な無線装置の機能ブロック図である。
【図３】図３は、図２に示されるような少なくとも１つの無線装置内部における、少なくとも１つの送信機と少なくとも１つの受信機との間の干渉を回避する例示的なプロセスの流れ図である。
【図４】図４は図１に示される別の例示的な無線装置の機能ブロック図である。
【発明を実施するための形態】
【００１５】
下記の詳細な説明では、主題の技術の十分な理解を提供するために、数多くの具体的な詳細が記載される。しかしながら、主題の技術は、これ等の具体的な詳細のいくつかがなくても、実行されることが出来ると言うことは当業者には明らかである。他の場合、周知の構成と技術は、主題の技術を曖昧にしないように、詳細には示されなかった。
【００１６】
“例示的な（exemplary）”という用語は本明細書中では“例、例証、又は実例として働く”ということを意味するために使用される。本明細書中で“例示的な”と記載される何れの実施形態も、他の実施形態に対して優位である又は有利であると必ずしも解釈されるべきではない。本明細書で説明される諸技術は、符号分割多元接続（Code Division Multiple Access）（ＣＤＭＡ）ネットワーク、時分割多元接続（Time Division Multiple Access）（ＴＤＭＡ）ネットワーク、周波数分割多元接続（Frequency Division Multiple Access）（ＦＤＭＡ）ネットワーク、直交周波数分割多元接続（Orthogonal FDMA）（ＯＦＤＭＡ）ネットワーク、シングルキャリア（Single Carrier）ＦＤＭＡ（ＳＣ−ＦＤＭＡ）ネットワーク、等々のような、種々の無線通信ネットワークに対して使用されることが出来る。用語“ネットワーク”と“システム”はしばしば交換して使用されることが出来る。ＣＤＭＡネットワークは、ユニバーサル・テレストリアル・ラジオ・アクセス（Universal Terrestrial Radio Access）（“ＵＴＲＡ”）、ｃｄｍａ２０００、等々のような、無線技術を実施することが出来る。ＵＴＲＡは広帯域ＣＤＭＡ（Ｗ−ＣＤＭＡ）及びロー・チップ・レート（Low Chip Rate）（ＬＣＲ）を含む。ｃｄｍａ２０００はＩＳ−２０００、ＩＳ−９５及びＩＳ−８５６規格をカバーする。ＴＤＭＡネットワークは、グローバル・システム・フォー・モバイル・コミュニケーションズ（Global system for Mobile communications）（ＧＳＭ（登録商標））のような無線技術を実施することが出来る。ＯＦＤＭＡネットワークは、エボルブド（Evolved）ＵＴＲＡ（Ｅ−ＵＴＲＡ）、ＩＥＥＥ８０２．１１、ＩＥＥＥ８０２．１６、ＩＥＥＥ８０２．２０、フラッシュ（Flash-）ＯＦＤＭ、等々のような無線技術を実施することが出来る。ＵＴＲＡ、Ｅ−ＵＴＲＡ、及びＧＳＭはユニバーサル・モバイル・テレコミュニケーション・システム（Universal Mobile Telecommunication System）（ＵＭＴＳ）の一部である。ロング・ターム・エボリューション（ＬＴＥ）はＥ−ＵＴＲＡを使用するＵＭＴＳの次期リリースである。ＵＴＲＡ、Ｅ−ＵＴＲＡ、ＧＳＭ、ＵＭＴＳ及びＬＴＥは“第３世代パートナーシップ・プロジェクト”（“3rd Generation Partnership Project”）（３ＧＰＰ）と名付けられた組織からの文書に説明されている。ｃｄｍａ２０００は“第３世代パートナーシップ・プロジェクト２”（“3rd Generation Partnership Project 2”）（３ＧＰＰ２）と名付けられた組織からの文書に説明されている。これ等の種々の無線技術と規格は業界では公知である。
【００１７】
シングルキャリア周波数分割多元接続（ＳＣ−ＦＤＭＡ）は、シングルキャリア変調と周波数領域等化を利用する、技術である。ＳＣ−ＦＤＭＡはＯＦＤＭＡシステムの性能および複雑性と同様な性能および本質的に同じ全体的複雑性を有する。ＳＣ−ＦＤＭＡ信号は、その固有のシングルキャリア構成の故に、より低いピーク対平均電力比（peak-to-average power ratio）（ＰＡＰＲ）を有する。ＳＣ−ＦＤＭＡは、より低いＰＡＰＲが送信電力効率に関して移動端末を大いに利する上り回線通信において特に、大きな注目を集めてきた。それは現在、３ＧＰＰロング・ターム・エボルーション（ＬＴＥ）又はエボルブドＵＴＲＡにおける上り回線多元接続方式に対する、一作業仮説である。
【００１８】
複数の無線インターフェース及び／又は複数のチャネルを介する同時通信に関する方法および装置が本明細書で説明される。本明細書で説明されるように、例えば、無線通信装置は第１の無線技術（例えば、ＩＥＥＥ８０２．１１）を使用し第１の無線インターフェースを介して通信することが出来、そして、第２の無線インターフェース（例えば、ＧＳＭ）を介して通信することが出来る。更に、無線通信装置は複数のチャネル（例えば、複数の周波数チャネル）を介して通信することが出来る。
【００１９】
ここに主題の技術の諸態様への参照が詳細に行われる。該技術の諸実例は添付の図面で図示され、図面では同様の参照番号は一貫して同様の構成要素を指す。
【００２０】
本明細書で開示された諸プロセスにおけるステップの特定の順序または階層は例示的な手法の一実例であるということが理解されるべきである。設計上の嗜好に基づいて、諸プロセスにおけるステップの特定の順序または階層は、本開示の範囲内に留まったまま、再配列されることが可能であることが理解される。添付の方法クレームは、見本的順序中の種々のステップの諸構成要素を提示し、そして、提示された特定の順序または階層に限定されることを意図されない。
【００２１】
本明細書で説明される方法とシステムは共存する無線システム間の干渉回避に関する。（１）種々異なる直交符号系列を使用して種々異なる利用者に対するデータを送信するＣＤＭＡシステム、（２）種々異なる周波数サブバンド上で種々異なる利用者に対するデータを送信するＦＤＭＡシステム、（３）種々異なる時間スロットで種々異なる利用者に対するデータを送信するＴＤＭＡシステム、（４）種々異なる空間チャネル上で種々異なる利用者に対するデータを送信する空間分割多元接続（spatial division multiple access）（ＳＤＭＡ）システム、（５）種々異なる周波数サブバンド上で種々異なる利用者に対するデータを送信する直交周波数分割多元接続（ＯＦＤＭＡ）システム、等々のような、種々の多元接続通信システムに対して複数のチャネル構造が使用されることが出来る。ＯＦＤＭＡシステムは、例えば、直交周波数分割多重（ＯＦＤＭ）を利用するが、このＯＦＤＭは全システム帯域幅を複数の直交周波数サブバンドに分割するマルチキャリア変調技術である。サブバンドは又、トーン、サブキャリア、“ＯＦＤＭビン”、周波数チャネル、等々とも呼ばれる。それぞれのサブバンド、即ち“ＯＦＤＭビン”はデータを用いて変調されることが出来るそれぞれ対応するサブキャリアに関連付けられる。
【００２２】
１つの実施形態では、本明細書記載の方法とシステムは、１又は複数のビンが干渉によって影響を受けるかどうかを判定すること、及びこのような干渉を回避すること、に係る。該方法とシステムは本明細書ではＯＦＤＭシステムに関して説明されるけれども、本明細書記載の方法とシステムは他のシステムを用いてもまた使用されることが出来る、ということを当業者は認識する。例えば、本明細書記載の方法とシステムは周波数等化法を使用する他の変調方式にもまた適用可能である。
【００２３】
更に、本明細書記載の方法とシステムは周波数等化法を使用しない変調方式に対するものであり得る。ノッチ及び／又は帯域除去フィルタがそのような変調方式に対して使用される本明細書記載の方法とシステムと共に使用されることが出来る。これ等のノッチ及び／又は帯域除去フィルタは固定または設定可能であることが出来る。
【００２４】
アンテナ分離、アンテナ選択能、受信機フィルタ、感度劣化改良、高いＩＰ３、周波数プランニング、等々のような、干渉回避のいくつかの方法が共存する無線システムと共に利用されることが出来る。このような方法は装置のコスト、サイズ及び電力消費に重大な影響を有することがあり、そして、広帯域送信機及び／又は受信機を利用するシステムを取り扱うためには不十分なことがある。しかしながら、本明細書記載の方法とシステムは、装置のコスト、サイズ及び電力消費に重大な影響を伴わずに干渉を回避することが可能で、そして、広帯域送信機及び／又は受信機を利用するシステムを取り扱うために使用されることが出来る。
【００２５】
本明細書記載の共存する無線システム間の干渉を回避する方法は、受信機の帯域におけるスプリアス放射、送信機の割当帯域で送信される信号による受信機の感度劣化、及び、１つのシステムの送信機からの、別のシステムの受信機に影響するスプリアス信号のような、負の効果を回避することが出来る。１つの実施形態では、このような方法は、１又は複数のＵＷＢシステムに対して、比較的大きな帯域幅および送信機と受信機との隣接による共存干渉問題が存在する無線装置内部で使用されることが出来る。
【００２６】
図１は例示的な無線通信ネットワークを図示する。ネットワーク１０は複数の無線装置１００と複数の基地局１１０（ａ）〜１１０（ｃ）を含む。無線装置１００は、１又は複数の無線インターフェースを介して及び／又は１又は複数のチャネルを介して、それぞれの基地局１１０（ａ）〜１１０（ｃ）とそれぞれ通信することが出来る。それぞれの基地局１１０（ａ）〜１１０（ｃ）は無線装置１００に対して、それぞれのカバレッジ・エリア（coverage area）１１２（ａ）〜１１２（ｃ）内における、通信カバレッジを提供することが出来る。用語“基地局”は一例として使用され、そして基地局１１０（ａ）〜１１０（ｃ）の諸機能は任意の他の端末（例えば、無線装置１００）又はタワー（tower）によって遂行されることが出来る。無線装置１００は１又は複数のカバレッジ・エリア１１２（ａ）〜１１２（ｃ）の外へ移動することが出来る。それによって無線装置１００は、無線装置１００がそこから離れるカバレッジ・エリアのサービスを行う基地局１１０（ａ）〜１１０（ｃ）の内の１又は複数との通信を失う可能性がある。その場合無線装置１００は、無線装置１００がそのそれぞれのカバレッジ・エリア１１２（ａ）〜１１２（ｃ）に進入した１又は複数の基地局１１０（ａ）〜１１０（ｃ）からのサービスを獲得することが出来る。無線装置１００は、例えば、セルラ電話、ＰＤＡ又は類似の装置を指すことが出来て、モバイル装置、利用者イクイップメント（ＵＥ）、無線通信装置、端末、局、移動局、モバイル・イクイップメント（ＭＥ）又は他の用語で呼ばれることも出来る。無線装置１００の内部では、１又は複数の送信機及び／又は受信機を含む、１又は複数のモデムが同時にアクティブであることが出来る。ある場合には、無線装置１００内部の１又は複数のモデムは１又は複数の無線インターフェースを介して及び／又は１又は複数のチャネルを介して通信することが出来る。従って、無線装置１００の複数の送信機及び／又は受信機は並列して通信することが出来る。
【００２７】
図２は図１に示される例示的な無線装置の機能ブロック図である。無線装置１００は１又は複数のモデム（例えば、モデム２２０（１）〜２２０（ｖ））を備える。それぞれのモデム２２０（１）〜２２０（ｖ）は１又は複数の受信機２００及び／又は１又は複数の送信機２１０を備える。更に、それぞれのモデムは１又は複数のアンテナ２６０を備える。それぞれのモデム２２０（１）〜２２０（ｖ）は任意の数の受信機２００（１）〜２００（ｍ）と送信機２１０（１）〜２１０（ｎ）を備えることが出来る。１つの実施形態では、受信機２００（１）〜２００（ｍ）と送信機２１０（１）〜２１０（ｎ）の内の幾つか若しくは全ては超広帯域（ultra wideband）（ＵＷＢ）装置であることが出来る。受信機２００（１）〜２００（ｍ）と送信機２１０（１）〜２１０（ｎ）の該セットは、例えば、ＷｉＭＡＸ、ＬＴＥ、及び／又は３Ｇ／４Ｇ装置を含むことが出来る。ｎはｍに等しいことも等しくないこともあり得るということが注意される。即ち、無線装置１００は受信機２００（１）〜２００（ｍ）よりも多い送信機２１０（１）〜２１０（ｎ）を有することが出来るが、逆も可能である。例えば、１又は複数のモデム２２０（１）〜２２０（ｖ）は全地球測位システム（Global Positioning System）（ＧＰＳ）受信機またはテレビジョン受信機であることが出来る。従って、それ等のモデム２２０（１）〜２２０（ｖ）は１又は複数の受信機２００（１）〜２００（ｍ）を有するのみであり得る。無線装置１００は、更に、メモリ２５０及び該メモリ２５０に通信的に結合された処理ユニット２４０を含む。受信機２００（１）〜２００（ｍ）と送信機２１０（１）〜２１０（ｎ）は更に、処理ユニット２４０とメモリ２５０の双方に通信的に結合されることが出来る。無線装置１００は何らかの特定の構成に限定されることはなく、諸コンポーネントの種々の組合せ、並びに他の諸コンポーネントが無線装置１００に含まれることが出来る。
【００２８】
（１又は複数の）アンテナ２６０は、１又は複数のチャネル（例えば、周波数チャネル）を介して及び／又は１又は複数の無線インターフェースを介して、他の装置及び／又は他の基地局に情報を送るように、及び／又は、他の装置及び／又は他の基地局から情報を受信するように、構成されることが出来る。情報は音声及び／又はデータのみの情報（本明細書では“情報”と呼ばれる）を含むことが出来る。アンテナは１又は複数の物理アンテナ及び／又は仮想アンテナを含むことが出来る。
【００２９】
それぞれのモデム２２０は、図１に関して論じられたように、１又は複数の無線インターフェース及び／又は１又は複数のチャネルを介して１又は複数の基地局と通信するように構成されることが出来る。モデムは基地局と通信している場合アクティブ状態にあり、通信していない場合非アクティブ状態にあることが出来る。モデム２２０（１）〜２２０（ｖ）のうちの任意の数が任意の他のモデム２２０（１）〜２２０（ｖ）と同時にアクティブにされることが出来る。例えば、無線装置１００は、モデム２２０（１）の受信機２００（１）と送信機２１０（１）を使用して、基地局１１０ａと情報を交換することが出来る。無線装置１００は、アンテナ２６０（１）を介して、基地局１１０ａから／宛に情報を受信／送信することが出来る。無線装置１００はまた、モデム２２０（２）の受信機２００（２）を使用して基地局１１０ｂから情報を受信することが出来る。無線装置１００はアンテナ２６０（２）を介して、基地局１１０ｂから情報を受信することが出来る。それぞれのモデム２２０は受信された情報を処理のために処理ユニット２４０に送ることが出来る。更に、それぞれのモデム２２０は処理ユニット２４０から送られる情報を受信することが出来る。加えて、それぞれのモデム２２０は、受信される情報をメモリ２５０において記憶し、送信される情報をメモリ２５０から検索することが出来る。
【００３０】
処理ユニット２４０は（１又は複数の）アンテナ２６０を介して送受信される情報を処理するように構成される。更に、処理ユニット２４０は、特定の基地局１１０との通信に対して使用するために、（１又は複数の）受信機２００の内の１又は複数及び／又は（１又は複数の）送信機２１０の内の１又は複数を選択するように構成される。従って、処理ユニット２４０は特定の（１又は複数の）受信機及び／又は（１又は複数の）送信機を選択的にオンオフすることが出来る。更に、処理ユニット２４０は、装置１００の種々のコンポーネントの動作の、電力水準及び／又は他の諸態様を制御するように構成されることが出来る。例えば、処理ユニット２４０は１又は複数の受信機２００及び／又は１又は複数の送信機２１０の間で干渉が生じるかどうかを判定するように構成されることが出来る。その場合、処理ユニット２４０は図３に関して下記で論じられるように干渉を回避するためにそれぞれの（１又は複数の）受信機２００及び／又は（１又は複数の）送信機２１０を制御することが出来る。処理ユニット２４０はまた、メモリ２５０から情報を読み又はメモリ２５０に情報を書き込むように構成されることが出来る。
【００３１】
別途説明されるけれども、装置１００に関して説明される諸機能ブロックは分離した構成要素である必要はない、ということが認識されるべきである。例えば、受信機２００（１）と送信機２１０（１）は単一チップ中に組み入れられることが出来る。加えて、又はこれに代わって、処理ユニット２４０は、プロセッサ・レジスタのような、メモリを包含することが出来る。同様に、処理ユニット２４０とメモリ２５０は単一チップ中に組み入れられることが出来る。
【００３２】
メモリ２５０は、異なるレベルはその中で異なる容量とアクセス速度を有するマルチレベル階層型キャッシュを含む、プロセッサ・キャッシュ（processor cache）を備えることが出来る。メモリ２５０はまたランダム・アクセス・メモリ（random access memory）（ＲＡＭ）、他の揮発性記憶デバイス、又は非揮発性記憶デバイスを備えることが出来る。記憶装置はハード・ドライブ（hard drive）、コンパクト・ディスク（ＣＤ）又はデジタル・ビデオ・ディスク（ＤＶＤ）のような、光学ディスク、フラッシュ・メモリ、フロッピー（登録商標）・ディスク、磁気テープ、及びジップ・ドライブ（Zip drive）、を含むことが出来る。
【００３３】
装置１００に関して説明される、該機能ブロックの内の１又は複数及び／又は該機能ブロックの内の１又は複数の組合せは、汎用プロセッサ、デジタル信号プロセッサ（ＤＳＰ）、特定用途向け集積回路（ＡＳＩＣ）、フィールド・プログラマブル・ゲート・アレイ（field programmable gate array）（ＦＰＧＡ）若しくは他のプログラム可能な論理デバイス、ディスクリート・ゲート若しくはトランジスタ・ロジック、ディスクリート・ハードウェア・コンポーネント、又は本明細書記載の諸機能を実行するために設計されたそれ等の任意の適切な組合せ、として具現化されることが出来る。装置１００に関して説明される、該機能ブロックの内の１又は複数及び／又は該機能ブロックの内の１又は複数の組合せはまた、計算装置の組合せ、例えば、ＤＳＰとマイクロプロセッサの組合せ、複数のマイクロプロセッサ、ＤＳＰ通信と接続する１又は複数のマイクロプロセッサ、又は任意の他のこのような構成、として実装されることが出来る。
【００３４】
図３は、図２に示されるような少なくとも１つの無線装置内部における、少なくとも１つの送信機と少なくとも１つの受信機との間の干渉を回避する例示的なプロセスの流れ図である。少なくとも１つの送信機と少なくとも１つの受信機は同一モデム２２０（１）〜２２０（ｖ）の内部にあってもなくても良いということが注意される。ステップ３０２では、処理ユニット２４０は、１又は複数の送信機２１０（１）〜２１０（ｎ）がアクティブであるかどうか、を判定する。もし処理ユニット２４０が１又は複数の送信機２１０（１）〜２１０（ｎ）はアクティブではないと判定するならば、プロセス３００は終了する。もし処理ユニット２４０が１又は複数の送信機２１０（１）〜２１０（ｎ）はアクティブであると判定するならば、プロセス３００はステップ３０５へ続く。更に、ステップ３０５では、処理ユニット２４０は、メモリ２５０中に予め記憶された（例えば、予めプログラムされた）情報に基づいて、１又は複数の送信機２１０（１）〜２１０（ｎ）中の１又は複数のアクティブな送信機によって引き起こされる干渉によって１又は複数のＯＦＤＭビン（即ち、１又は複数の周波数サブバンド）が影響を受けるかどうかを判定する。メモリ２５０中に記憶された情報は無線装置１００の設計によって事前に知られることが出来る。該情報は、アクティブな場合、１又は複数の送信機２１０（１）〜２１０（ｎ）によって引き起こされる干渉の大きさ(magnitude)を含むことが出来る。該干渉の大きさは、例えば、周波数、電力、アンテナ２６０（１）〜２６０（ｖ）の型、これ等全ては決定されてメモリ２５０中に記憶されることが出来るのであるが、のような種々のパラメータの関数であり得る。該情報は、それぞれの（１又は複数の）送信機２１０（１）〜２１０（ｎ）によって引き起こされる干渉によって影響を受けるＯＦＤＭビンを示す情報を更に含むことが出来る。もしステップ３０５において処理ユニット２４０が１又は複数のＯＦＤＭビンが干渉によって影響を受けないと判定するならば、プロセス３００は終了する。もしステップ３０５において処理ユニット２４０が１又は複数のＯＦＤＭビンが干渉によって影響を受けると判定するならば、プロセス３００はステップ３１０へ続く。ステップ３１０では、処理ユニット２４０は、１又は複数の受信機２００（１）〜２００（ｍ）がアクティブであるかどうか、を判定する。もし処理ユニット２４０が１又は複数の受信機２００（１）〜２００（ｍ）はアクティブではないと判定するならば、プロセス３００は終了する。もし処理ユニット２４０が１又は複数の受信機２００（１）〜２００（ｍ）はアクティブであると判定するならば、プロセス３００はステップ３１２へ続く。ステップ３１２では、該情報がアクティブな送信機２１０（１）〜２１０（ｎ）の内の少なくとも１つに、及び／又はアクティブな受信機２００（１）〜２００（ｍ）の内の少なくとも１つに通信される。
【００３５】
更に、ステップ３１４では、１又は複数の送信機２１０（１）〜２１０（ｎ）中の１又は複数のアクティブな送信機によって引き起こされる該干渉が、アクティブな送信機２１０（１）〜２１０（ｎ）の内の少なくとも１つによって、及び／又はアクティブな受信機２００（１）〜２００（ｍ）の内の少なくとも１つによって、回避される。該干渉を回避するための方法は下記で詳細に議論される。
【００３６】
図３のステップ３１４の１つの実施形態は、干渉によって影響を受ける１又は複数のＯＦＤＭビンをフィルタで除くために１又は複数のアクティブな受信機２００（１）〜２００（ｍ）に信号を送る処理ユニット２４０を備える。それによって、該１又は複数のアクティブな受信機２００（１）〜２００（ｍ）は１又は複数の送信機２１０（１）〜２１０（ｎ）によって引き起こされる干渉を回避する。例えば、該１又は複数のアクティブな受信機２００（１）〜２００（ｍ）は帯域除去フィルタの使用によって該（１又は複数の）ＯＦＤＭビンをフィルタで除くことが出来る。別の実施形態では、該１又は複数のアクティブな受信機２００（１）〜２００（ｍ）は周波数等化法を使用して該（１又は複数の）ＯＦＤＭビンをフィルタで除くことが出来る。１つの実施形態では、該１又は複数の送信機２１０（１）〜２１０（ｎ）と該１又は複数の受信機２００（１）〜２００（ｍ）の内の少なくとも１つはＵＷＢ装置である。例えば、１つの例示的な方法によって、ＵＷＢ受信機は、１又は複数の送信機２１０（１）〜２１０（ｎ）によって引き起こされる干渉によって影響を受けるＯＦＤＭビンを受信することを回避することが出来る。失われるＯＦＤＭビン（即ち、フィルタ処理される影響を受けたＯＦＤＭビン）の影響は劣悪なシンボルを受信することの影響よりも小さいといえる。
【００３７】
図３のステップ３１４の別の実施形態は、１又は複数の影響を受けるＯＦＤＭビンでの伝送を弱めるために、１又は複数のＯＦＤＭビンに影響を与える干渉を引き起こす１又は複数のアクティブな送信機２１０（１）〜２１０（ｎ）に信号を送る処理ユニット２４０を備える。それによって、１又は複数の受信機２００（１）〜２００（ｍ）によって使用される１又は複数のＯＦＤＭビンに影響を与える干渉が回避される。例えば、処理ユニット２４０は、該影響受けるＯＦＤＭビンを介する伝送の電力を低減するために、１又は複数のＯＦＤＭビンに影響を与える干渉を引き起こす１又は複数のアクティブな送信機２１０（１）〜２１０（ｎ）に、信号を送ることが出来る。例えば、処理ユニット２４０は、該影響受けるＯＦＤＭビンを介する伝送の電力を実質的に０に低減するために、１又は複数のＯＦＤＭビンに影響を与える干渉を引き起こす１又は複数のアクティブな送信機２１０（１）〜２１０（ｎ）に、信号を送ることが出来る。本段落で説明される実施形態は、例えば、１又は複数のアクティブな送信機２１０（１）〜２１０（ｎ）によって影響を受けるＯＦＤＭビンの個数が任意の特定の受信機２００（１）〜２００（ｍ）で影響を受けているＯＦＤＭビンの個数より遥かに大きい場合、使用されることが出来る。本段落で説明される実施形態はまた、例えば、１又は複数のアクティブな送信機２１０（１）〜２１０（ｎ）が１又は複数のアクティブな受信機２００（１）〜２００（ｍ）の性能に厳しく影響している場合、使用されることが出来る。本段落で説明される実施形態は更に他の状況でも使用されることが出来る。
【００３８】
１つの実施形態では、該１又は複数の受信機２００（１）〜２００（ｍ）の内の何れがアクティブにされているか、並びに、何れのＯＦＤＭビンを介する伝送が弱められているかということに関する情報は、同一ネットワーク内の他のシステム（例えば、他のＵＷＢシステム）に配信されることが出来る。更に、他のシステムにおける送信機及び／又は他の近隣の無線装置１００における送信機は、該情報を受信することが出来て、他のシステムにおける該１又は複数のアクティブな送信機２１０（１）〜２１０（ｎ）によって引き起こされる干渉によって影響を受ける１又は複数のＯＦＤＭビンでの伝送を弱めることが出来る。その上、他のシステムにおける受信機及び／又は他の近隣の無線装置１００における受信機は、ある一定のＯＦＤＭビンが該１又は複数の近隣の送信機２１０（１）〜２１０（ｎ）によって弱められたという情報を、受信することが出来る。
【００３９】
１つの実施形態では、送信機２１０（１）〜２１０（ｎ）の内の１又は複数は、ＵＷＢ送信機を備えることが出来て、異なるシステムの１又は複数の受信機に影響する周波数ＯＦＤＭビン上の伝送を弱めることが出来る。該弱めることに関する情報は他のＵＷＢ装置に送られることが出来る。従って、全てのＵＷＢ受信機は該ＯＦＤＭビンは使用されないことを知り、かくしてＵＷＢシステムへの影響を軽減する。更に、他の局（例えば、他の無線装置１００）は該弱めることに関する情報を承知しているが故に、ＵＷＢ受信機は、近接しているが必ずしも同一無線装置１００の内部にあるとは限らない、他のＵＷＢ装置から安全である。
【００４０】
図３のステップ３１４の更に別の実施形態は、全周波数に亘る全ての送信電力を低減するために、１又は複数のＯＦＤＭビンに影響する干渉を引き起こす該１又は複数のアクティブな送信機２１０（１）〜２１０（ｎ）に信号を送る処理ユニット２４０を備える。例えば、該１又は複数のアクティブな送信機２１０（１）〜２１０（ｎ）は最大のレートで送信することが出来る、すなわち、ロード(load)は比較的に中または低であることが出来る。従って、最大送信電力は低減させられることが出来る。１つの実施形態では、最大送信電力は、一切のプロトコル変更または情報の配信を伴うことなく、該１又は複数のアクティブな送信機２１０（１）〜２１０（ｎ）の最大電力を低減することによって低減させられる。
【００４１】
１つの実施形態では、送信機２１０（１）〜２１０（ｎ）の内の１又は複数は、ＵＷＢ送信機を備えることが出来る。１又は複数のＵＷＢ送信機２１０（１）〜２１０（ｎ）の全送信電力は干渉を回避するために低減させられることが出来る。全送信電力を低減することは受信機の感度劣化を（例えば、３倍だけ）軽減することが出来る。諸ＵＷＢ装置が互いに近接する１つの実施形態では、例え最大送信電力よりも低い電力が使用されるとしても、最高のＵＷＢレートが達成されることが出来る。従って、全送信電力を低減することによって、データ・レートに影響を与えずに、干渉が回避される。最大電力とは異なる電力が使用されるがＵＷＢチャネルは完全にロードされる別の実施形態では、電力低減は該レートを軽減する。
【００４２】
図３のステップ３１４に関して説明された諸方法は、１又は複数の送信機２１０（１）〜２１０（ｎ）と１又は複数の受信機２００（１）〜２００（ｍ）との間の干渉を回避するために使用されることが出来る。本明細書で説明された諸方法の間で選択する場合、種々の考慮が勘定に入れられることが出来る。例えば、１又は複数の送信機２１０（１）〜２１０（ｎ）によって影響を受けるＯＦＤＭビンの個数が任意の特定の受信機２００（１）〜２００（ｍ）において影響を受けているＯＦＤＭビンの個数よりも遥かに大きいかどうかを考慮することが出来る。或いは、ある特定の送信機２１０（１）〜２１０（ｎ）はある特定の受信機２００（１）〜２００（ｍ）の性能に厳しく影響しているということを考慮することが出来る。１つの実施形態では、弱められ若しくはフィルタ処理される（１又は複数の）送信機２１０（１）〜２１０（ｎ）及び／又は（１又は複数の）受信機２００（１）〜２００（ｍ）への最小の影響を有し、且つ、影響を受ける（１又は複数の）受信機２００（１）〜２００（ｍ）に対して最大の改善を提供する、方法を実施することが出来る。干渉を回避するための方法は処理ユニット２４０によってアルゴリズム的に選択されることが出来、無線装置１００に存在することが出来、及び／又は該装置１００の利用者によって選択されることが出来る。
【００４３】
本明細書中で（例えば、添付の図面の内の１又は複数に関して）説明される機能性は、ある複数の態様では、添付の諸請求項において同様に明示される「のための手段」の機能性に対応することが出来る。図４を参照すると、無線装置１００は一連の相互に関連付けられる機能モジュールとして表わされる。
【００４４】
図４は図１に示される別の例示的な無線装置の機能ブロック図である。示されるように、無線装置１００は判定ユニット４０５、回避ユニット４１０、通信ユニット４１５、及び指示ユニット４２０を備えることが出来る。判定ユニット４０５は、少なくともある複数の態様では、例えば、本明細書で論じられたような処理ユニットに対応することが出来る。回避ユニットは、少なくともある複数の態様では、例えば、本明細書で論じられたような、１又は複数の受信機、１又は複数の送信機、及び／又は処理ユニットに対応することが出来る。通信ユニット４１５は、少なくともある複数の態様では、例えば、本明細書で論じられたような１又は複数の送信機に対応することが出来る。指示ユニット４２０は、少なくともある複数の態様では、例えば、本明細書で論じられたような、処理ユニット、及び／又は１又は複数の送信機に対応することが出来る。
【００４５】
図４の諸モジュールの機能性は本明細書中の諸教示と首尾一貫する種々の方法で実装されることが出来る。ある複数の態様では、これ等のモジュールの機能性は１又は複数の電気コンポーネントとして実装されることが出来る。ある複数の態様では、これ等のブロックの機能性は１又は複数のプロセッサ・コンポーネントを含む処理システムとして実装されることが出来る。ある複数の態様では、これ等のモジュールの機能性は、例えば、１又は複数の集積回路（例えば、ＡＳＩＣ）の少なくとも一部を使用して実装されることが出来る。本明細書で論じられるように、集積回路はプロセッサ、ソフトウェア、他の関連するコンポーネント、又はこれ等のある組合せを含むことが出来る。これ等のモジュールの機能性はまた、本明細書で教示されるように、何らかの他の方法で実装されることも出来る。
【００４６】
“第１”、“第２”等々のような指定を使用する本明細書中でのある構成要素への任意の参照は、一般的に、それ等の諸構成要素の量または順序を限定しない、ということが理解されるべきである。むしろ、これ等の指定は、２以上の構成要素または１つの構成要素の複数の実例を区別する便宜的方法として、本明細書中で使用されると言える。従って、第１および第２の構成要素への参照は、２つの構成要素のみがそこで利用されることが出来るということを意味しないし、或いは、第１の構成要素が何らかの方法で第２の構成要素に先行しなければならないということを意味しない。また、別に述べられない限り、構成要素の集合は１又は複数の構成要素を具備することが出来る。更に、説明または請求項で使用される“Ａ、Ｂ、又はＣの内の少なくとも１つ”という形の用語は“Ａ又はＢ又はＣ又はこれ等の構成要素の任意の組合せ”を意味する。
【００４７】
本明細書は本発明の特定の諸実例を説明するけれども、当業者等は本発明の概念から逸脱することなく本発明の諸変型を考案することが出来る。例えば、本明細書中の諸教示はフェムト・セルとマクロ・セルを持つネットワークに言及するが、しかし他のトポロジー（topology）を持つネットワークにも等しく適用可能である。
【００４８】
当業者等は情報と信号は任意の種々異なる技術と技法を使用して表されることが出来ることを理解する。例えば、上記の説明全体に亘って参照されることが出来る、データ、指示、命令、情報、信号、ビット、シンボル、及び、チップは、電圧、電流、電磁波、磁場又は磁性粒子、光学的場又は光学粒子、或はこれ等の任意の組合せ、により表されることが可能である。
【００４９】
当業者等は更に、本明細書中で開示される諸実例と関連して説明された、種々の例示的な論理ブロック、モジュール、回路、方法、およびアルゴリズムは、エレクトロニック・ハードウェア、コンピュータ・ソフトウェア、或は両者の組合せとして、実装されることが可能であるということ、を認識する。ハードウェアとソフトウェアのこの交換可能性を明確に例示するために、種々の例示的なコンポーネント、ブロック、モジュール、回路、方法、及びアルゴリズムが上記では一般にそれ等の機能性を表す用語で説明された。このような機能性がハードウェアとして実装されるか或はソフトウェアとして実装されるかは、システム全体に課される特定の応用上及び設計上の制約に依存する。当業者等は説明された機能性をそれぞれの特定の応用に対して種々の方法で実装することが出来る、しかし、そのような実装の決定は本発明の範囲からの逸脱をもたらすものとして解釈されるべきではない。
【００５０】
本明細書で開示された諸実例と関連して説明される種々の例示的な論理ブロック、モジュール、及び回路は、汎用プロセッサ、デジタル信号プロセッサ（digital signal processor）（ＤＳＰ）、特定用途向け集積回路（application specific integrated circuit）（ＡＳＩＣ）、フィールド・プログラマブル・ゲート・アレイ（field programmable gate array）（ＦＰＧＡ）若しくは他のプログラム可能な論理デバイス、ディスクリート・ゲート（discrete gate）若しくはトランジスタ・ロジック（transistor logic）、ディスクリート・ハードウェア・コンポーネント、又は本明細書に記載された諸機能を実行するために設計されたそれ等の任意の組合せ、を用いて実装又は実行されることが出来る。汎用プロセッサはマイクロプロセッサであって良い、しかし、その代わりに、該プロセッサは任意の通常のプロセッサ、制御器、マイクロ制御器、又はステート・マシン（state machine）であって良い。プロセッサはまた、計算装置の組合せ、例えば、ＤＳＰとマイクロプロセッサの組合せ、複数のマイクロプロセッサ、ＤＳＰ通信と接続された１又は複数のマイクロプロセッサ、又は任意の他のこのような構成、として実装されることも可能である。
【００５１】
本明細書で開示された諸実例と関連して説明された方法もしくはアルゴリズムは、直接ハードウェアにおいて、プロセッサにより実行されるソフトウェア・モジュールにおいて、又は両者の組合せにおいて、具現化されることが可能である。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・デイスク、リムーバブル・ディスク、ＣＤ−ＲＯＭ、或は当業者には公知の任意の他の形式の記憶媒体、中に常駐することが出来る。記憶媒体はプロセッサに結合されることが出来、従って該プロセッサは該記憶媒体から情報を読み、該記憶媒体に情報を書き込むことが出来る。それに代わって、記憶媒体はプロセッサと一体になることも出来る。プロセッサと記憶媒体はＡＳＩＣの中に常駐することが可能である。
【００５２】
１又は複数の例示的な実施形態では、説明された諸機能はハードウェア、ソフトウェア、ファームウェア、又はこれ等の任意の組合せにおいて実装されることが出来る。もしソフトウェアで実装される場合、該諸機能はコンピュータ可読媒体上に記憶されるか、或いはコンピュータ可読媒体上の１又は複数の命令もしくはコードとして伝送されることが出来る。コンピュータ可読媒体は、コンピュータ記憶媒体と、１つの場所から別の場所へのコンピュータ・プログラムの伝送を容易にする任意の媒体を含む、通信媒体の双方を含む。記憶媒体は汎用もしくは専用コンピュータによってアクセスされることが出来る任意の入手可能な媒体であることが出来る。限定としてではなく実例として、そのようなコンピュータ可読媒体は、ＲＡＭ、ＲＯＭ、ＥＥＰＲＯＭ、ＣＤ−ＲＯＭ若しくは他の光学ディスク・ストレージ、磁気ディスク・ストレージ若しくは他の磁気記憶装置、或いは、所望のプログラム・コード手段を命令もしくはデータ構造の形式で搬送もしくは記憶するために使用されることが出来る、及び汎用もしくは専用コンピュータ又は汎用もしくは専用プロセッサによってアクセスされることが出来る、任意の他の媒体を含むことが出来る。また、任意の接続は適切にコンピュータ可読媒体と呼ばれる。例えば、もしソフトウェアがウェブサイト、サーバ、又は、他の遠隔情報源から、同軸ケーブル、光ファイバ・ケーブル、ツイスト・ペア（twisted pair）、デジタル加入者線（digital subscriber line）（ＤＳＬ）、又は、赤外線、無線波およびマイクロ波のような無線技術を使用して、伝送されるならば、その場合該同軸ケーブル、光ファイバ・ケーブル、ツイスト・ペア、ＤＳＬ、又は、赤外線、無線波およびマイクロ波のような無線技術は、媒体の定義中に含まれる。本明細書で使用される、ディスク（ｄｉｓｋ及びｄｉｓｃ）は、コンパクト・ディスク（ＣＤ）、レーザ・ディスク、光学ディスク、デジタル多用途ディスク（digital versatile disc）（ＤＶＤ）、フロッピー・ディスク及びブルーレイ・ディスクを含み、ここにｄｉｓｋは通常データを磁気的に再生するが、他方、ｄｉｓｃはデータをレーザを用いて光学的に再生する。上記の組合せもまたコンピュータ可読媒体の範囲の中に含まれるべきである。
【００５３】
開示された諸実例の前述の説明は、当業者の誰もが本発明を作る又は利用することを可能にするために提供される。これ等の実例への様々な修正は、当業者等には容易に明らかであり、そして本明細書中で明確にされた包括的な諸原理は、本発明の精神又は範囲から逸脱することなく他の諸実例に適用されることが可能である。かくして、本発明は、本明細書中で示される諸実例に限定されることを意図されるのではなく、本明細書中に開示された諸原理及び新規な特徴と首尾一貫する最も広い範囲を認容されるべきである。
【図１】
2014161074.tif 000003
【図２】
2014161074.tif 000004
【図３】
2014161074.tif 000005
【図４】
2014161074.tif 000006
【手続補正書】
【提出日】平成26年4月28日(2014.4.28)
【手続補正１】
【補正対象書類名】特許請求の範囲
【補正対象項目名】全文
【補正方法】変更
【補正の内容】
【特許請求の範囲】
【請求項１】
少なくとも１つの無線装置内部の少なくとも１つの送信機と少なくとも１つの受信機との間の干渉を回避する方法であって、
１又は複数のビンが送信機からの干渉によって影響を受けるかどうかを所定の情報に基づいて判定すること、及び
もし該１又は複数のビンが影響を受けると判定される場合、該送信機と受信機の内の少なくとも１つによって該送信機からの該干渉を回避すること
を具備し、
ここにおいて、該所定の情報は、該送信機からの該干渉の大きさ及び、該１又は複数のビンの何れが該送信機からの該干渉によって影響を受けるのか、を具備する、方法。
【請求項２】
該送信機と該受信機の内の少なくとも１つに該所定の情報を通信することを更に具備する、請求項１の方法。
【請求項３】
該所定の情報は、該送信機からの該干渉によって影響を受ける該１又は複数のビンを使用する１又は複数の受信機がアクティブにされているかどうか、を具備する、請求項１の方法。
【請求項４】
該回避することは、該送信機からの該干渉によって影響を受ける該１又は複数のビンを、該受信機によって、フィルタ処理することを具備する、請求項１の方法。
【請求項５】
該回避することは、該送信機からの該干渉によって影響を受ける該１又は複数のビンでの送信を、該送信機によって、弱めることを具備する、請求項１の方法。
【請求項６】
該回避することは該送信機の全送信電力を低減することを具備する、請求項１の方法。
【請求項７】
該送信機と該受信機は第１のモバイル装置中にある、請求項１の方法。
【請求項８】
該回避することを示す情報を少なくとも第２のモバイル装置に通信することを更に具備する、請求項７の方法。
【請求項９】
該送信機と該受信機の内の少なくとも１つは超広帯域装置を具備する、請求項１の方法。
【請求項１０】
該送信機がアクティブであることを該受信機に示すことを更に具備する、請求項１の方法。
【請求項１１】
該１又は複数のビンは直交周波数分割多重（ＯＦＤＭ）ビンを具備する、請求項１の方法。
【請求項１２】
該回避することは固定された若しくは設定可能なノッチ・フィルタを使用して実行される、請求項１の方法。
【請求項１３】
少なくとも１つの無線装置内部の少なくとも１つの送信機と少なくとも１つの受信機との間の干渉を回避するための装置であって、
１又は複数のビンが送信機からの干渉によって影響を受けるかどうかを所定の情報に基づいて判定するように構成される第１の処理回路、及び
もし該１又は複数のビンが影響を受けると判定される場合、該送信機と受信機の内の少なくとも１つによって該送信機からの該干渉を緩和するように構成される第２の処理回路
を具備し、
ここにおいて、該所定の情報は、該送信機からの該干渉の大きさ及び、該１又は複数のビンの何れが該送信機からの該干渉によって影響を受けるのか、を具備する、装置。
【請求項１４】
該第１の処理回路は該送信機と該受信機の内の少なくとも１つに該所定の情報を通信するように更に構成される、請求項１３の装置。
【請求項１５】
該所定の情報は、該送信機からの該干渉によって影響を受ける該１又は複数のビンを使用する１又は複数の受信機がアクティブにされているかどうか、を具備する、請求項１３の装置。
【請求項１６】
該第２の処理回路は、該送信機からの該干渉によって影響を受ける該１又は複数のビンを、該受信機によって、フィルタ処理するように更に構成される、請求項１３の装置。
【請求項１７】
該第２の処理回路は、該送信機からの該干渉によって影響を受ける該１又は複数のビンでの送信を、該送信機によって、弱めるように更に構成される、請求項１３の装置。
【請求項１８】
該第２の処理回路は該送信機の全送信電力を低減するように更に構成される、請求項１３の装置。
【請求項１９】
該送信機と該受信機は第１のモバイル装置中にある、請求項１３の装置。
【請求項２０】
該回避することを示す情報を少なくとも第２のモバイル装置に通信するように構成される第３の処理回路を更に具備する、請求項１９の装置。
【請求項２１】
該送信機と該受信機の内の少なくとも１つは超広帯域装置を具備する、請求項１３の装置。
【請求項２２】
該送信機がアクティブであることを該受信機に示すように構成される第３の処理回路を更に具備する、請求項１３の装置。
【請求項２３】
該１又は複数のビンは直交周波数分割多重（ＯＦＤＭ）ビンを具備する、請求項１３の装置。
【請求項２４】
該第２の処理回路は固定された若しくは設定可能なノッチ・フィルタを具備する、請求項１３の装置。
【請求項２５】
少なくとも１つの無線装置内部の少なくとも１つの送信機と少なくとも１つの受信機との間の干渉を回避するための装置であって、
１又は複数のビンが送信機からの干渉によって影響を受けるかどうかを所定の情報に基づいて判定するための手段、及び
もし該１又は複数のビンが影響を受けると判定される場合、該送信機と該受信機の内の少なくとも１つによって該送信機からの該干渉を回避するための手段
を具備し、
ここにおいて、該所定の情報は、該送信機からの該干渉の大きさ及び、該１又は複数のビンの何れが該送信機からの該干渉によって影響を受けるのか、を具備する、装置。
【請求項２６】
判定するための該手段は該送信機と受信機の内の少なくとも１つに該所定の情報を通信するための手段を具備する、請求項２５の装置。
【請求項２７】
該所定の情報は、該送信機からの該干渉によって影響を受ける該１又は複数のビンを使用する１又は複数の受信機がアクティブにされているかどうか、を具備する、請求項２５の装置。
【請求項２８】
回避するための該手段は、該送信機からの該干渉によって影響を受ける該１又は複数のビンを、該受信機によって、フィルタ処理するための手段を具備する、請求項２５の装置。
【請求項２９】
回避するための該手段は、該送信機からの該干渉によって影響を受ける該１又は複数のビンでの送信を、該送信機によって、弱めるための手段を具備する、請求項２５の装置。
【請求項３０】
回避するための該手段は該送信機の全送信電力を低減するための手段を具備する、請求項２５の装置。
【請求項３１】
該送信機と該受信機は第１のモバイル装置中にある、請求項２５の装置。
【請求項３２】
該回避することを示す情報を少なくとも第２のモバイル装置に通信するための手段を更に具備する、請求項３１の装置。
【請求項３３】
該送信機と該受信機の内の少なくとも１つは超広帯域装置を具備する、請求項２５の装置。
【請求項３４】
該送信機がアクティブであることを該受信機に示すための手段を更に具備する、請求項２５の装置。
【請求項３５】
該１又は複数のビンは直交周波数分割多重（ＯＦＤＭ）ビンを具備する、請求項２５の装置。
【請求項３６】
回避するための該手段は固定された若しくは設定可能なノッチ・フィルタを使用して実行される、請求項２５の装置。
【請求項３７】
少なくとも１つの無線装置内部の少なくとも１つの送信機と少なくとも１つの受信機との間の干渉を回避する方法を実行するための命令を記憶する、コンピュータ可読媒体であって、該方法は
１又は複数のビンが送信機からの干渉によって影響を受けるかどうかを所定の情報に基づいて判定すること、及び
もし該１又は複数のビンが影響を受けると判定される場合、該送信機と受信機の内の少なくとも１つによって該送信機からの該干渉を回避すること
を具備し、
ここにおいて、該所定の情報は、該送信機からの該干渉の大きさ及び、該１又は複数のビンの何れが該送信機からの該干渉によって影響を受けるのか、を具備する、コンピュータ可読媒体。
【請求項３８】
該方法は該送信機と受信機の内の少なくとも１つに該所定の情報を通信することを更に具備する、請求項３７のコンピュータ可読媒体。
【請求項３９】
該所定の情報は、該送信機からの該干渉によって影響を受ける該１又は複数のビンを使用する１又は複数の受信機がアクティブにされているかどうか、を具備する、請求項３７のコンピュータ可読媒体。
【請求項４０】
該回避することは、該送信機からの該干渉によって影響を受ける該１又は複数のビンを、該受信機によって、フィルタ処理することを具備する、請求項３７のコンピュータ可読媒体。
【請求項４１】
該回避することは、該送信機からの該干渉によって影響を受ける該１又は複数のビンでの送信を、該送信機によって、弱めることを具備する、請求項３７のコンピュータ可読媒体。
【請求項４２】
該回避することは該送信機の全送信電力を低減することを具備する、請求項３７のコンピュータ可読媒体。
【請求項４３】
該送信機と該受信機は第１のモバイル装置中にある、請求項３７のコンピュータ可読媒体。
【請求項４４】
該方法は該回避することを示す情報を少なくとも第２のモバイル装置に通信することを更に具備する、請求項４３のコンピュータ可読媒体。
【請求項４５】
該送信機と該受信機の内の少なくとも１つは超広帯域装置を具備する、請求項３７のコンピュータ可読媒体。
【請求項４６】
該方法は該送信機がアクティブであることを該受信機に示すことを更に具備する、請求項３７のコンピュータ可読媒体。
【請求項４７】
該１又は複数のビンは直交周波数分割多重（ＯＦＤＭ）ビンを具備する、請求項３７のコンピュータ可読媒体。
【請求項４８】
該回避することは固定された若しくは設定可能なノッチ・フィルタを使用して実行される、請求項３７のコンピュータ可読媒体。
【請求項４９】
少なくとも１つの無線装置内部の少なくとも１つの送信機と少なくとも１つの受信機との間の干渉を回避する方法を実行するための命令を実行するように構成されるプロセッサであって、該方法は
１又は複数のビンが送信機からの干渉によって影響を受けるかどうかを所定の情報に基づいて判定すること、及び
もし該１又は複数のビンが影響を受けると判定される場合、該送信機と受信機の内の少なくとも１つによって該送信機からの該干渉を回避すること
を具備し、
ここにおいて、該所定の情報は、該送信機からの該干渉の大きさ及び、該１又は複数のビンの何れが該送信機からの該干渉によって影響を受けるのか、を具備する、プロセッサ。
【請求項５０】
該方法は該送信機と受信機の内の少なくとも１つに該所定の情報を通信することを更に具備する、請求項４９のプロセッサ。
【請求項５１】
該所定の情報は、該送信機からの該干渉によって影響を受ける該１又は複数のビンを使用する１又は複数の受信機がアクティブにされているかどうか、を具備する、請求項４９のプロセッサ。
【請求項５２】
該回避することは、該送信機からの該干渉によって影響を受ける該１又は複数のビンを、該受信機によって、フィルタ処理することを具備する、請求項４９のプロセッサ。
【請求項５３】
該回避することは、該送信機からの該干渉によって影響を受ける該１又は複数のビンでの送信を、該送信機によって、弱めることを具備する、請求項４９のプロセッサ。
【請求項５４】
該回避することは該送信機の全送信電力を低減することを具備する、請求項４９のプロセッサ。
【請求項５５】
該送信機と該受信機は第１のモバイル装置中にある、請求項４９のプロセッサ。
【請求項５６】
該方法は該回避することを示す情報を少なくとも第２のモバイル装置に通信することを更に具備する、請求項５５のプロセッサ。
【請求項５７】
該送信機と該受信機の内の少なくとも１つは超広帯域装置を具備する、請求項４９のプロセッサ。
【請求項５８】
該方法は該送信機がアクティブであることを該受信機に示すことを更に具備する、請求項４９のプロセッサ。
【請求項５９】
該１又は複数のビンは直交周波数分割多重（ＯＦＤＭ）ビンを具備する、請求項４９のプロセッサ。
【請求項６０】
該回避することは固定された若しくは設定可能なノッチ・フィルタを使用して実行される、請求項４９のプロセッサ。
【手続補正２】
【補正対象書類名】明細書
【補正対象項目名】００５３
【補正方法】変更
【補正の内容】
【００５３】
開示された諸実例の前述の説明は、当業者の誰もが本発明を作る又は利用することを可能にするために提供される。これ等の実例への様々な修正は、当業者等には容易に明らかであり、そして本明細書中で明確にされた包括的な諸原理は、本発明の精神又は範囲から逸脱することなく他の諸実例に適用されることが可能である。かくして、本発明は、本明細書中で示される諸実例に限定されることを意図されるのではなく、本明細書中に開示された諸原理及び新規な特徴と首尾一貫する最も広い範囲を認容されるべきである。
以下に、本願出願の当初の特許請求の範囲に記載された発明を付記する。
［Ｃ１］少なくとも１つの無線装置内部の少なくとも１つの送信機と少なくとも１つの受信機との間の干渉を回避する方法であって、
１又は複数のビンが送信機からの干渉によって影響を受けるかどうかを所定の情報に基づいて判定すること、及び
もし該１又は複数のビンが影響を受けると判定される場合、該送信機と受信機の内の少なくとも１つによって該送信機からの該干渉を回避すること
を具備する方法。
［Ｃ２］該送信機と該受信機の内の少なくとも１つに該所定の情報を通信することを更に具備する、Ｃ１の方法。
［Ｃ３］該所定の情報は、該送信機からの該干渉の大きさ及び該１又は複数のビンの何れが該送信機からの該干渉によって影響を受けるのか、を具備する、Ｃ１の方法。
［Ｃ４］該所定の情報は、該送信機からの該干渉によって影響を受ける該１又は複数のビンを使用する１又は複数の受信機がアクティブにされているかどうか、を具備する、Ｃ１の方法。
［Ｃ５］該回避することは、該送信機からの該干渉によって影響を受ける該１又は複数のビンを、該受信機によって、フィルタ処理することを具備する、Ｃ１の方法。
［Ｃ６］該回避することは、該送信機からの該干渉によって影響を受ける該１又は複数のビンでの送信を、該送信機によって、弱めることを具備する、Ｃ１の方法。
［Ｃ７］該回避することは該送信機の全送信電力を低減することを具備する、Ｃ１の方法。
［Ｃ８］該送信機と該受信機は第１のモバイル装置中にある、Ｃ１の方法。
［Ｃ９］該回避することを示す情報を少なくとも第２のモバイル装置に通信することを更に具備する、Ｃ８の方法。
［Ｃ１０］該送信機と該受信機の内の少なくとも１つは超広帯域装置を具備する、Ｃ１の方法。
［Ｃ１１］該送信機がアクティブであることを該受信機に示すことを更に具備する、Ｃ１の方法。
［Ｃ１２］該１又は複数のビンは直交周波数分割多重（ＯＦＤＭ）ビンを具備する、Ｃ１の方法。
［Ｃ１３］該回避することは固定された若しくは設定可能なノッチ・フィルタを使用して実行される、Ｃ１の方法。
［Ｃ１４］少なくとも１つの無線装置内部の少なくとも１つの送信機と少なくとも１つの受信機との間の干渉を回避するための装置であって、
１又は複数のビンが送信機からの干渉によって影響を受けるかどうかを所定の情報に基づいて判定するように構成される第１の処理回路、及び
もし該１又は複数のビンが影響を受けると判定される場合、該送信機と受信機の内の少なくとも１つによって該送信機からの該干渉を緩和するように構成される第２の処理回路
を具備する装置。
［Ｃ１５］該第１の処理回路は該送信機と該受信機の内の少なくとも１つに該所定の情報を通信するように更に構成される、Ｃ１４の装置。
［Ｃ１６］該所定の情報は、該送信機からの該干渉の大きさ及び該１又は複数のビンの何れが該送信機からの該干渉によって影響を受けるのか、を具備する、Ｃ１４の装置。
［Ｃ１７］該所定の情報は、該送信機からの該干渉によって影響を受ける該１又は複数のビンを使用する１又は複数の受信機がアクティブにされているかどうか、を具備する、Ｃ１４の装置。
［Ｃ１８］該第２の処理回路は、該送信機からの該干渉によって影響を受ける該１又は複数のビンを、該受信機によって、フィルタ処理するように更に構成される、Ｃ１４の装置。
［Ｃ１９］該第２の処理回路は、該送信機からの該干渉によって影響を受ける該１又は複数のビンでの送信を、該送信機によって、弱めるように更に構成される、Ｃ１４の装置。
［Ｃ２０］該第２の処理回路は該送信機の全送信電力を低減するように更に構成される、Ｃ１４の装置。
［Ｃ２１］該送信機と該受信機は第１のモバイル装置中にある、Ｃ１４の装置。
［Ｃ２２］該回避することを示す情報を少なくとも第２のモバイル装置に通信するように構成される第３の処理回路を更に具備する、Ｃ２１の装置。
［Ｃ２３］該送信機と該受信機の内の少なくとも１つは超広帯域装置を具備する、Ｃ１４の装置。
［Ｃ２４］該送信機がアクティブであることを該受信機に示すように構成される第３の処理回路を更に具備する、Ｃ１４の装置。
［Ｃ２５］該１又は複数のビンは直交周波数分割多重（ＯＦＤＭ）ビンを具備する、Ｃ１４の装置。
［Ｃ２６］該第２の処理回路は固定された若しくは設定可能なノッチ・フィルタを具備する、Ｃ１４の装置。
［Ｃ２７］少なくとも１つの無線装置内部の少なくとも１つの送信機と少なくとも１つの受信機との間の干渉を回避するための装置であって、
１又は複数のビンが送信機からの干渉によって影響を受けるかどうかを所定の情報に基づいて判定するための手段、及び
もし該１又は複数のビンが影響を受けると判定される場合、該送信機と該受信機の内の少なくとも１つによって該送信機からの該干渉を回避するための手段
を具備する装置。
［Ｃ２８］判定するための該手段は該送信機と受信機の内の少なくとも１つに該所定の情報を通信するための手段を具備する、Ｃ２７の装置。
［Ｃ２９］該所定の情報は、該送信機からの該干渉の大きさ及び該１又は複数のビンの何れが該送信機からの該干渉によって影響を受けるのか、を具備する、Ｃ２７の装置。
［Ｃ３０］該所定の情報は、該送信機からの該干渉によって影響を受ける該１又は複数のビンを使用する１又は複数の受信機がアクティブにされているかどうか、を具備する、Ｃ２７の装置。
［Ｃ３１］回避するための該手段は、該送信機からの該干渉によって影響を受ける該１又は複数のビンを、該受信機によって、フィルタ処理するための手段を具備する、Ｃ２７の装置。
［Ｃ３２］回避するための該手段は、該送信機からの該干渉によって影響を受ける該１又は複数のビンでの送信を、該送信機によって、弱めるための手段を具備する、Ｃ２７の装置。
［Ｃ３３］回避するための該手段は該送信機の全送信電力を低減するための手段を具備する、Ｃ２７の装置。
［Ｃ３４］該送信機と該受信機は第１のモバイル装置中にある、Ｃ２７の装置。
［Ｃ３５］該回避することを示す情報を少なくとも第２のモバイル装置に通信するための手段を更に具備する、Ｃ３４の装置。
［Ｃ３６］該送信機と該受信機の内の少なくとも１つは超広帯域装置を具備する、Ｃ２７の装置。
［Ｃ３７］該送信機がアクティブであることを該受信機に示すための手段を更に具備する、Ｃ２７の装置。
［Ｃ３８］該１又は複数のビンは直交周波数分割多重（ＯＦＤＭ）ビンを具備する、Ｃ２７の装置。
［Ｃ３９］回避するための該手段は固定された若しくは設定可能なノッチ・フィルタを使用して実行される、Ｃ２７の装置。
［Ｃ４０］少なくとも１つの無線装置内部の少なくとも１つの送信機と少なくとも１つの受信機との間の干渉を回避する方法を実行するための命令を記憶する、コンピュータ可読媒体であって、該方法は
１又は複数のビンが送信機からの干渉によって影響を受けるかどうかを所定の情報に基づいて判定すること、及び
もし該１又は複数のビンが影響を受けると判定される場合、該送信機と受信機の内の少なくとも１つによって該送信機からの該干渉を回避すること
を具備する、コンピュータ可読媒体。
［Ｃ４１］該方法は該送信機と受信機の内の少なくとも１つに該所定の情報を通信することを更に具備する、Ｃ４０のコンピュータ可読媒体。
［Ｃ４２］該所定の情報は、該送信機からの該干渉の大きさ及び該１又は複数のビンの何れが該送信機からの該干渉によって影響を受けるのか、を具備する、Ｃ４０のコンピュータ可読媒体。
［Ｃ４３］該所定の情報は、該送信機からの該干渉によって影響を受ける該１又は複数のビンを使用する１又は複数の受信機がアクティブにされているかどうか、を具備する、Ｃ４０のコンピュータ可読媒体。
［Ｃ４４］該回避することは、該送信機からの該干渉によって影響を受ける該１又は複数のビンを、該受信機によって、フィルタ処理することを具備する、Ｃ４０のコンピュータ可読媒体。
［Ｃ４５］該回避することは、該送信機からの該干渉によって影響を受ける該１又は複数のビンでの送信を、該送信機によって、弱めることを具備する、Ｃ４０のコンピュータ可読媒体。
［Ｃ４６］該回避することは該送信機の全送信電力を低減することを具備する、Ｃ４０のコンピュータ可読媒体。
［Ｃ４７］該送信機と該受信機は第１のモバイル装置中にある、Ｃ４０のコンピュータ可読媒体。
［Ｃ４８］該方法は該回避することを示す情報を少なくとも第２のモバイル装置に通信することを更に具備する、Ｃ４７のコンピュータ可読媒体。
［Ｃ４９］該送信機と該受信機の内の少なくとも１つは超広帯域装置を具備する、Ｃ４０のコンピュータ可読媒体。
［Ｃ５０］該方法は該送信機がアクティブであることを該受信機に示すことを更に具備する、Ｃ４０のコンピュータ可読媒体。
［Ｃ５１］該１又は複数のビンは直交周波数分割多重（ＯＦＤＭ）ビンを具備する、Ｃ４０のコンピュータ可読媒体。
［Ｃ５２］該回避することは固定された若しくは設定可能なノッチ・フィルタを使用して実行される、Ｃ４０のコンピュータ可読媒体。
［Ｃ５３］少なくとも１つの無線装置内部の少なくとも１つの送信機と少なくとも１つの受信機との間の干渉を回避する方法を実行するための命令を実行するように構成されるプロセッサであって、該方法は
１又は複数のビンが送信機からの干渉によって影響を受けるかどうかを所定の情報に基づいて判定すること、及び
もし該１又は複数のビンが影響を受けると判定される場合、該送信機と受信機の内の少なくとも１つによって該送信機からの該干渉を回避すること
を具備する、プロセッサ。
［Ｃ５４］該方法は該送信機と受信機の内の少なくとも１つに該所定の情報を通信することを更に具備する、Ｃ５３のプロセッサ。
［Ｃ５５］該所定の情報は、該送信機からの該干渉の大きさ及び該１又は複数のビンの何れが該送信機からの該干渉によって影響を受けるのか、を具備する、Ｃ５３のプロセッサ。
［Ｃ５６］該所定の情報は、該送信機からの該干渉によって影響を受ける該１又は複数のビンを使用する１又は複数の受信機がアクティブにされているかどうか、を具備する、Ｃ５３のプロセッサ。
［Ｃ５７］該回避することは、該送信機からの該干渉によって影響を受ける該１又は複数のビンを、該受信機によって、フィルタ処理することを具備する、Ｃ５３のプロセッサ。
［Ｃ５８］該回避することは、該送信機からの該干渉によって影響を受ける該１又は複数のビンでの送信を、該送信機によって、弱めることを具備する、Ｃ５３のプロセッサ。
［Ｃ５９］該回避することは該送信機の全送信電力を低減することを具備する、Ｃ５３のプロセッサ。
［Ｃ６０］該送信機と該受信機は第１のモバイル装置中にある、Ｃ５３のプロセッサ。
［Ｃ６１］該方法は該回避することを示す情報を少なくとも第２のモバイル装置に通信することを更に具備する、Ｃ６０のプロセッサ。
［Ｃ６２］該送信機と該受信機の内の少なくとも１つは超広帯域装置を具備する、Ｃ５３のプロセッサ。
［Ｃ６３］該方法は該送信機がアクティブであることを該受信機に示すことを更に具備する、Ｃ５３のプロセッサ。
［Ｃ６４］該１又は複数のビンは直交周波数分割多重（ＯＦＤＭ）ビンを具備する、Ｃ５３のプロセッサ。
［Ｃ６５］該回避することは固定された若しくは設定可能なノッチ・フィルタを使用して実行される、Ｃ５３のプロセッサ。
【外国語明細書】
2014161074000001.pdf